(57)【要約】【課題】  演奏者の口周りと口当て部との間から空気が漏れることを防止でき、また、音や音色を豊かにすること。【解決手段】  本体部１１と、この本体部１１の上部に設けられた口当て部１２と、この口当て部を介して演奏者が吹くことにより音を発するとともに、本体部１１により囲われる位置に設けられた発音部１５とを備えて簡易吹奏楽器１０が構成されている。口当て部１２は、演奏者の口及びその周辺に当接される当接端部領域４２を備えている。当接端部領域４２は、正面視したときに、左右方向両側より中央部が次第に凹む湾曲形状を備えている。発音部１５は、周波数の異なる複数の音を同時に発して唸り現象を生じさせるようになっている。【選択図】      図１
2006171476.tif 000002
【特許請求の範囲】
【請求項１】
演奏者の口及びその周辺に当接される当接端部領域を備えた口当て部と、この口当て部を介して演奏者が吹く又は吸うことにより音を発する発音部と、この発音部を囲う位置に設けられるとともに、前記口当て部と反対側に開口が形成された本体部とを備え、
前記口当て部の当接端部領域は、正面視したときに、左右方向両側より中央部が次第に凹む湾曲形状を備えていることを特徴とする簡易吹奏楽器。
【請求項２】
演奏者の口及びその周辺に当接される当接端部領域を備えた口当て部と、この口当て部を介して演奏者が吹く又は吸うことにより音を発する発音部と、この発音部を囲う位置に設けられるとともに、前記口当て部と反対側に開口が形成された本体部とを備え、
前記発音部は、周波数の異なる複数の音を同時に発して唸り現象を生じさせることを特徴とする簡易吹奏楽器。
【請求項３】
前記口当て部は、本体部に着脱自在に取り付けられていることを特徴とする請求項１又は２記載の簡易吹奏楽器。
【請求項４】
前記本体部は、所定の水平面上に開口側が位置するように載置したときに、当該開口側に本体部の内外を通じる隙間を形成する形状に設けられていることを特徴とする請求項１，２又は３記載の簡易吹奏楽器。
【請求項５】
前記本体部の開口を形成する端部領域は、正面視したときに、左右方向両側より中央部が次第に膨らむ湾曲形状を備えていることを特徴とする請求項１ないし４の何れかに記載の簡易吹奏楽器。
【請求項６】
前記本体部は、その外部と発音部とを通じる通路を含み、当該通路は、発音部に対向する本体部の領域に設けられていることを特徴とする請求項１ないし５の何れかに記載の簡易吹奏楽器。
【請求項７】
前記本体部は、前記開口側に向かって平面視した形状が次第に略楕円状に変化する筒状に形成されていることを特徴とする請求項１ないし６の何れかに記載の簡易吹奏楽器。
【請求項８】
前記本体部と口当て部との間に、外側に突出する境界形成体を設けたことを特徴とする請求項１ないし７の何れかに記載の簡易吹奏楽器。
【請求項９】
請求項１ないし８の何れかに記載の簡易吹奏楽器を複数個備えた簡易吹奏楽器セットであって、
前記各簡易吹奏楽器に、音高、音程又は音調の識別手段を設けたことを特徴とする簡易吹奏楽器セット。
【請求項１０】
前記識別手段は、各簡易吹奏楽器に色彩、模様、文字、マークの何れか又はこれらの任意の組み合わせを付することにより構成されていることを特徴とする請求項９記載の簡易吹奏楽器セット。
【請求項１１】
前記各簡易吹奏楽器は、整列保持部材を介して集合保持され、この集合保持状態で各簡易吹奏楽器を交互に演奏可能に設けられていることを特徴とする請求項９又は１０記載の簡易吹奏楽器セット。
【発明の詳細な説明】
【技術分野】
【０００１】
本発明は、簡易吹奏楽器及び簡易吹奏楽器セットに係り、更に詳しくは、演奏を簡単に行うことができ、リハビリテーション等に利用し易い簡易吹奏楽器及び簡易吹奏楽器セットに関する。
【背景技術】
【０００２】
各福祉施設や医療施設においては、脳の機能や身体機能の低下抑制、改善を図るための種々のリハビリテーションが採用されている。このようなリハビリテーションとして、近時、音楽療法と称される試みが行われてきている。この音楽療法は、療法士や介助者と共に、複数人の高齢者等により簡単な楽器を用いて楽曲を演奏し、脳機能や運動障害を改善して療養効果を得るものである。
【０００３】
ところで、比較的簡単に発音可能な楽器として、図１８に示される吹奏楽器８０が知られている。同図において、吹奏楽器８０は、ホーン状に形成された金属製の本体部８１と、この本体部８１の同図中上端側に設けられた口当て部８２と、本体部８１の内部に設けられた単一のリード等からなる発音部８３とを備え、口当て部８２に口を当てて吹くことにより、一の高さの音を発するようになっている。
【発明の開示】
【発明が解決しようとする課題】
【０００４】
しかしながら、前記吹奏楽器８０を利用する場合、以下の（１）〜（６）に述べる不都合を招来する。
【０００５】
（１）口当て部８２は、正面視したときに、口に当接する領域８２Ａ（図１８中上端領域）が同図中左右方向に延びる仮想平面Ｆ１上に形成される。ところが、人間の口及びその周辺は湾曲するように膨らんだ形状をなすので、口当て部８２の左右両側と口周辺との間に隙間が空き、吹いたり吸ったりした空気が漏れて音の大きさが弱くなり易くなる。
特に、高齢者等にあっては、肺機能が低下している場合があるため、音を発することができなくなり、ひいては、音楽療法に対する意欲が低下して療養効果を十分に得られなくなる虞がある。
【０００６】
（２）発音部８３を介して発せられる音が単音のため単調となって豊かさが感じられず、また、音色を変化させ難い。このため、福祉施設等において、高齢者等に対して演奏に興味をもたせることが困難となる。
【０００７】
（３）本体部８１は、正面視したときに、その開口８１Ａ側の領域すなわち図１８中下端領域が同図中左右方向に延びる仮想平面Ｆ２上に形成される。このため、吹奏楽器８０を立てて開口８１Ａを下向きとして水平面上に載置すると、当該水平面により開口８１Ａが閉塞され、演奏によって本体部８１内や発音部８３周りに付着した水分や唾液が乾燥し難くなり、衛生上の問題を惹起せしめることとなる。
【０００８】
（４）前記口に当接する領域８２Ａ及び本体部８１の開口８１Ａ側は、平面視で円状の外形を有するので、吹奏楽器８０を横置きとした場合に転がり易くなる。これにより、吹奏楽器８０が不用意に床等に落下し、これを踏んで転倒や怪我の原因となる。
【０００９】
（５）演奏時に本体部を握ったときに、手の平で本体部８１が滑る傾向がある。特に、高齢者等は握力が低下している場合があるので、本体部８１を把持することが困難となり、これによっても、演奏に対する興味を損なわせることとなる。
【００１０】
（６）前記吹奏楽器８０は、一の高さの音のみ発するものである。従って、楽曲を演奏するため、相互に音高や音程が異なるように複数個の吹奏楽器８０を用いる場合がある。
ところが、このような場合にあっては、各吹奏楽器８０の本体部８１が金属色で統一されるとともに、略相似形となるように形成されるので、各吹奏楽器８０の音高や音程の違いを外観によって認識することが困難となる。この結果、所望の音高等の吹奏楽器８０を探す時間が必要となり、演奏される楽曲のリズム感が低下することとなる。
【００１１】
［発明の目的］
本発明は、このような不都合に着目して案出されたものであり、その目的は、演奏者の口周りと口当て部との間から空気が漏れることを防止でき、演奏を行い易くすることができる簡易吹奏楽器及び簡易吹奏楽器セットを提供することにある。
【００１２】
本発明の他の目的は、音や音色を豊かにすることができる簡易吹奏楽器及び簡易吹奏楽器セットを提供することにある。
【００１３】
本発明の更に他の目的は、本体部の内部や発音部を乾燥させ易くしたりして衛生状態を良好に保つことができる簡易吹奏楽器及び簡易吹奏楽器セットを提供することにある。
【００１４】
更に本発明の目的は、不用意な転がりを防止でき、床面等に落下することを回避することができる簡易吹奏楽器及び簡易吹奏楽器セットを提供することにある。
【００１５】
また、他の本発明の目的は、演奏時に本体部を持ち易くすることができる簡易吹奏楽器及び簡易吹奏楽器セットを提供することにある。
【００１６】
更に、本発明の他の目的は、複数個の簡易吹奏楽器を用いたときに、音高等の違いを容易に認識することができる簡易吹奏楽器及び簡易吹奏楽器セットを提供することにある。
【課題を解決するための手段】
【００１７】
前記目的を達成するため、本発明は、演奏者の口及びその周辺に当接される当接端部領域を備えた口当て部と、この口当て部を介して演奏者が吹く又は吸うことにより音を発する発音部と、この発音部を囲う位置に設けられるとともに、前記口当て部と反対側に開口が形成された本体部とを備え、
前記口当て部の当接端部領域は、正面視したときに、左右方向両側より中央部が次第に凹む湾曲形状を備える、という構成が採用されている。
【００１８】
また、本発明は、演奏者の口及びその周辺に当接される当接端部領域を備えた口当て部と、この口当て部を介して演奏者が吹く又は吸うことにより音を発する発音部と、この発音部を囲う位置に設けられるとともに、前記口当て部と反対側に開口が形成された本体部とを備え、
前記発音部は、周波数の異なる複数の音を同時に発して唸り現象を生じさせる、という構成も採用される。
【００１９】
本発明において、前記口当て部は、本体部に着脱自在に取り付けられる、という構成を採ることが好ましい。
【００２０】
また、前記本体部は、所定の水平面上に開口側が位置するように載置したときに、当該開口側に本体部の内外を通じる隙間を形成する形状に設けられる、という構成も好ましくは採用される。
【００２１】
更に、前記本体部の開口を形成する端部領域は、正面視したときに、左右方向両側より中央部が次第に膨らむ湾曲形状を備えることが好ましい。
【００２２】
また、前記本体部は、その外部と発音部とを通じる通路を含み、当該通路は、発音部に対向する本体部の領域に設けられる、という構成を採用するとよい。
【００２３】
更に、前記本体部は、前記開口側に向かって平面視した形状が次第に略楕円状に変化する筒状に形成することができる。
【００２４】
また、前記本体部と口当て部との間に、外側に突出する境界形成体を設けるとよい。
【００２５】
更に、本発明の簡易吹奏楽器セットは、前記簡易吹奏楽器を複数個備え、
前記各簡易吹奏楽器に、音高、音程又は音調の識別手段を設ける、という構成が採用されている。
【００２６】
また、前記識別手段は、各簡易吹奏楽器に色彩、模様、文字、マークの何れか又はこれらの任意の組み合わせを付することにより構成されるとよい。
【００２７】
更に、前記各簡易吹奏楽器は、整列保持部材を介して集合保持され、この集合保持状態で各簡易吹奏楽器を交互に演奏可能に設けられる、という構成も採ることができる。
【発明の効果】
【００２８】
本発明によれば、口当て部における当接端部領域の湾曲形状により、演奏者の口及びその周辺に沿うように当接端部領域を当接させることができる。これにより、演奏時に、演奏者の口周辺と当接端部領域との間に隙間が生じて空気が漏れ難くなり、発音の大きさが低下することを防止することができる。特に、肺機能が低下している高齢者等であっても、音を容易に発することができるようになり、音楽療法等に意欲的に取り組むよう促進させることが可能となる。
【００２９】
また、唸り現象を生じさせて音を発するので、音や音色に表現力を付与して演奏者や聴取者に豊かな感覚を生じさせることができる。これにより、簡易吹奏楽器に対して興味を持たせ易くなり、音楽療法を行い易くすることが可能となる。
【００３０】
更に、本体部に口当て部を着脱自在とした場合、演奏者毎に口当て部を交換することができ、一の簡易吹奏楽器を複数人で用いても、口当て部を衛生的に保って演奏を行うことができる。
【００３１】
また、本体部の内外を通じる隙間を開口側に形成する形状としたから、本体部の開口側を水平面上に載置したときに、隙間を介して通気性を維持することができる。これにより、演奏によって発音部や本体部の内側に付着した水分等が乾燥し易くなり、衛生的に好ましい状態とすることが可能となる。
【００３２】
更に、本体部の開口を形成する端部領域を前記湾曲形状としたので、前述の本体部の内外を通じる隙間を開口の左右両側に簡単に形成することができる。しかも、開口を形成する端部領域を手の平で塞ぐようにした場合、当該端部領域が手の平に馴染むようになり、開口を塞いだり開いたりして音色を変化させるような演奏を容易に行うことが可能となる。
【００３３】
また、本体部における発音部に対向する領域に通路を設けたから、水分が特に付着し易い発音部付近の通気性をより向上でき、発音部周りを効果的に乾燥させて衛生状態をより良好に維持することができる。しかも、演奏時に通路からも音を放射でき、音がこもった状態となることを回避して音質向上を図ることも可能となる。また、演奏者が手で通路を塞いだり開いたりすることができ、これによっても、音色を容易に変化させることが可能となる。
【００３４】
更に、本体部を前述のように略楕円状に変化する筒状体としたから、本体部を握ったときの手の平の感触をより良い状態としつつ、本体部が不用意に転がり難くなって床等に落下することを防止でき、本体部を踏んで転んだりすることを回避することが可能となる。
【００３５】
また、本体部と口当て部との間に外側に突出する境界形成体を設けたから、当該境界形成体に指を掛けることが可能となり、握力が低下しても本体部を楽に把持することができる。
【００３６】
更に、複数個の簡易吹奏楽器に識別手段を設けたから、音高等が異なる簡易吹奏楽器を容易に見分けることができ、楽曲の演奏をスムースにリズム感良く行えるようになる。また、例えば、和音の組み合わせが認識できるように識別手段を設けることができ、演奏する楽曲を簡単により良くすることが可能となる。
【００３７】
また、色彩等により識別手段を構成したから、例えば、音楽療法において、複数の高齢者等に対し、音高等が異なる簡易吹奏楽器を一個ずつ演奏させる場合、指揮者が楽曲に併せて色彩等を指示すれば当該楽曲を演奏することができる。これにより、各高齢者等が譜面を見たり覚えたりする負担を軽減しつつ、楽曲の完成度を高め、高齢者等に充実感を付与して療養効果がより良く得られるものと期待される。
【００３８】
更に、各簡易吹奏楽器を整列保持部材を介して集合保持した場合、各簡易吹奏楽器を交互に演奏可能として当該演奏のバリエーションを増やすことができる。
【００３９】
なお、本明細書及び特許請求の範囲において、「正面視」とは、簡易吹奏楽器を図１に示される方向から見た状態、すなわち、本体部の開口側が水平面上に載置し、口当て部の当接端部領域が上部に位置する状態を意味する。また、「側面視」とは、前記正面視した状態に対して側方から見た状態、「平面視」とは、前記正面視した状態に対して上方から見た状態を意味する。
更に、特に明示しない限り、「左」、「右」、「上」、「下」は、図１を基準とし、「前」は、図２中左側を示す一方、「後」は、同図中右側について用いられる。
【発明を実施するための最良の形態】
【００４０】
以下、本発明の好ましい実施の形態について図面を参照しながら説明する。
【００４１】
図１には、本発明に係る簡易吹奏楽器の一態様となる概略正面図が示され、図２には、その右側面図が示されている。また、図３には、図１の分解正面図が示され、図４には、図２の分解右側面図が示されている。これらの図において、簡易吹奏楽器１０は、上下方向に延びる本体部１１と、この本体部１１の上部に設けられた口当て部１２と、本体部１１と口当て部１２との間に設けられた境界形成体１４と、本体部１１により囲われる位置すなわち本体部１１の内側に位置する発音部１５とを備えて構成されている。
【００４２】
前記本体部１１は、図５及び図６にも示されるように、上下方向に開通する筒状に形成されたホーン体１７と、このホーン体１７に挿入されるとともに、前記発音体１５を支持する支持体１８とを備えて構成されている。
【００４３】
前記ホーン体１７は、ホーン体１７の口当て部１２側となる上部位置には開放部１９が形成され、この開放部１９は、図７にも示されるように、平面視で略円形をなす上端部１９Ａにより形成されている。また、図８に示されるように、口当て部１２と反対側となる下部位置には開口２０が形成され、この開口２０を形成する端部領域２０Ａは、左右方向に長軸を有する略楕円形に形成されている。この楕円の長軸寸法ｄ１及び短軸寸法ｄ２（図７参照）は、前記上端部１９Ａの直径寸法ｄ３よりもそれぞれ大きく設定されている。従って、ホーン体１７は、正面視及び側面視で、末広がり状の外観形状を呈する（図１，２参照）とともに、平面形状が下方に向かって略円状から略楕円状に次第に変化するように形成されている。
【００４４】
前記開口２０を形成する端部領域２０Ａは、図１のように正面視したときに、左右方向両側より中央部が次第に下方に膨らむ湾曲形状を備え、図２のように側面視したときに、前後方向（同図中左右方向）両側より中央部が次第に上方に凹む湾曲形状を備えている。
【００４５】
図５及び図６に示されるように、ホーン体１７の上側内周面には、前記支持体１８を保持する略円筒状の保持筒２２が連なっている。保持筒２２の下部には、内向きフランジ部２３が周方向に沿って連設され、この内向きフランジ２３上に支持体１８が位置するようになっている。また、ホーン体１７は、その上側前部領域に通路としての多数の穴２４を備え、当該穴２４によりホーン体１７の内外での通気性を確保するようになっている。
【００４６】
前記支持体１８は、ホーン体１７の開放部１９側に嵌り込む上部形成体２６と、この上部形成体２６の下面に連なって上下方向に沿って延びる中間形成体２７と、この中間形成体２７に連なる下部形成体２８と、上部形成体２６及び下部形成体２８の外周にそれぞれ設けられたゴム等の弾性体からなる二つのＯリング２９，２９とを備えて構成されている。
【００４７】
前記上部形成体２６は、図４及び図９にも示されるように、上下方向中間部に段部３１を有する外周部３２と、この外周部３２の下部に連なる底部３３とを備えた上部開放型の皿状に形成されている。段部３１は、支持体１８をホーン体１７に装着したときに、前記上端部１９Ａに着座するようになっている。また、段部３１より下方の外周部３２の外側には、前記Ｏリング２９を受容する周溝３４が形成されている。
【００４８】
前記中間形成体２７は、前面側（図９中左面側）で前記発音部１５を支持するブロック状に設けられ、左右幅が前記開放部１９の内径と略同一となり、前後幅が前記左右幅の約１／３程度に形成されている。中間形成体２７及び前記底部３３には、図５に示されるように、上下に延びる左右一対の溝３６，３６が形成されている。各溝３６，３６は、上部形成体２６側と発音体１５側、すなわち、上方と前方とを開放する形状を備えている。
【００４９】
前記下部形成体２８は、図９及び図１０に示されるように、上下に開通するリング状に設けられ、その外周面側に前記Ｏリング２９を受容する周溝３７が形成されている。
【００５０】
前記各Ｏリング２９，２９のうち、上部形成体２６に装着されたＯリング２９は、ホーン体１７の上部内周面に密着する一方、下部形成体２８に装着されたＯリング２９は、保持筒２２の内周面に密着するように設けられている。これにより、支持体１８がホーン体１７内でがたつきがないように支持され、これらが一体的に取り扱えるようになっている。
【００５１】
前記口当て部１２は、図３〜図５に示されるように、上方に向かって次第に拡がる形状を備えた筒状の周壁部３９と、この周壁部３９の下部に連設された段差形成部４０と、この段差形成部４０より下方に延びる円筒状部４１とを備え、上下に開通するように設けられている。
【００５２】
前記周壁部３９は、演奏者の口及びその周辺に当接される当接端部領域４２を上部に備えている。この当接端部領域４２は、図１のように正面視したときに、左右方向両側より中央部が次第に下方に凹む湾曲形状を備え、図２のように側面視したときに、前後方向（同図中左右方向）両側より中央部が次第に上方に膨らむ湾曲形状を備えている。当接端部領域４２は、図１１に示されるように、平面視で略円形をなし、その直径寸法ｄ４は、前記端部領域２０Ａの短軸寸法ｄ２より小さく、前記上端部１９Ａの直径寸法ｄ３（図７参照）より大きく設定されている。また、当接端部領域４２の直径寸法ｄ４は、一般成人の演奏者における唇の上下幅より大きく、当該唇の左右両側を中央に向かって窄めたときに、唇全体が周壁部３９内に受容される程度の大きさとなっている。
【００５３】
図５に示されるように、口当て部１２を本体部１１に装着した状態で、周壁部３９の下端が前記外周部３２の上端に着座するとともに、段差形成部４０の外側が前記段部３１の内側に着座するようになっている。また、円筒状部４１の外側には、外周部３２の内周面に密着するＯリング４４が設けられている。このＯリング４４により、口当て部１２が本体部１１に一体的に取り付けられるとともに、意図的な外力を付与することで口当て部１２が本体部１１に対して着脱自在となる。
【００５４】
前記境界形成体１４は、前記支持体１８における外周部３２の左右両側から外側に突出する一対の片部材４５，４５により形成されている。各片部材４５，４５は、先端に向かって上向きに湾曲する形状を備えている。また、各片部材４５，４５は、図１１に示されるように、平面視で略半円弧状にそれぞれ形成され、それらの先端間距離Ｌ１は、前記端部領域２０Ａの長軸寸法ｄ１より小さく、前記当接端部領域４２の直径寸法ｄ４より大きく設定されている。ここで、一方の片部材４５には、貫通穴４６が設けられており、この貫通穴４６に図示しないストラップ等を挿通できるようになっている。
【００５５】
前記発音部１５は、図３及び図９に示されるように、前記中間形成体２７の前面側に沿ってねじ止め固定される板状の保持板４８と、この保持板４８における前記各溝３６，３６の前方にそれぞれ形成された左右一対のスロット４９，４９と、各スロット４９，４９の後方にそれぞれ設けられた左右一対の細片状のリード５０，５０とを備え、ホーン体１７の穴２４に対向するように配置される。各リード５０，５０は、各スロット４９，４９と同様に上下方向に細長い形状に設けられているとともに、各スロット４９，４９の下方における保持板４８の後面で片持ち支持されている。各リード５０，５０は、溝３６，３６からスロット４９，４９に向かって流れる空気の流れによって振動し、当該振動により発音するようになっている。
【００５６】
ここで、各リード５０，５０は、相互に異なる音高、具体的には、周波数が約１〜１０Ｈｚ程度異なる音を発するように設定されている。このように、異なる周波数の音を発することにより、一の高さの音の強弱が周期的に変調するように聞こえる唸り現象を生じるようになる。なお、各リード５０，５０の発する音高を異なるようにするには、各リード５０，５０の厚み若しくは外形寸法を僅かに相違させればよいが、厚みを相違させた方が取り付け工程上有利となる。
【００５７】
次に、前記簡易吹奏楽器１０の利用方法について説明する。
簡易吹奏楽器１０を演奏する場合、一方の手で本体部１１を掴みながら、口当て部１２の当接端部領域４２を演奏者の口及びその周辺に当接させる。このとき、演奏者から見て前記穴２４を上向き又は下向きとし、前記片部材４５，４５を左右方向に向けることにより、当接端部領域４２が演奏者の口周辺に沿うように当接する態様となる。
この態様を更に詳述すると、一般に、人間の口は左右方向中央部が膨出する外形をなすので、当該中央部を当接端部領域４２の凹んだ部分が受容するように当接する。これにより、当接端部領域４２の左右両側と、演奏者の口及びその周辺との間に隙間が生じ難くなり、それらが馴染むように接触することとなる。
【００５８】
この状態で、演奏者が口から吹くことにより、口当て部１２の内側及び前記各溝３６，３６を通って発音部１５のスロット４９，４９に空気が流れる。この空気の流れにより、各リード５０，５０が振動し、これらが前述のように音を発することで、唸り現象を生じて表現力を有する豊かな音を奏することとなる。この音は、本体部１１の開口２０だけでなくから穴２４からも放射され、本体部１１内での音のこもりが抑制される。
【００５９】
ここで、簡易吹奏楽器１０の演奏時において、演奏者が手を用いることにより音色を変化させることができる。
例えば、本体部１１を一方の手で持ちながら、他方の手で開口２０を周期的に開閉したり、他方の手と開口２０との間に若干隙間を空けた状態を維持しながら演奏したりすることができる。この際、開口２０が前述のように湾曲した端部領域２０Ａにより形成されるので、手の平を若干丸めるようにして開口２０を容易に塞ぐこと可能となる。
また、各穴２４について、開口２０と同様に他方の手で開閉或いは隙間を維持できる他、本体部１１を持つ手で各穴２４の開閉等を行いつつ、他方の手で開口２０の開閉等を同時に行うこともできる。
このように、何れか一方の手若しくは両手で開口２０及び各穴２４を操作することにより、音色にバリエーションを持たせることが可能となる。
【００６０】
ところで、簡易吹奏楽器１０を机上等の水平面上に載置する場合、当該水平面上に開口２０側が位置するように載置することができる。すなわち、図１及び図２に示される二点鎖線を水平面Ｈとすると、前記端部領域２０Ａの前後二箇所が水平面Ｈに接して自立姿勢が保たれるとともに、端部領域２０Ａの左右両側と水平面Ｈとの間に、本体部１１の内外を通じる隙間Ｓを形成するようになっている。この隙間Ｓにより、本体部１１内の通気性を確保できる他、前記穴２４及び隙間Ｓを通じて上下方向に沿って通気が行われるようになり、本体部１１内や発音部１５に付着した水分等の乾燥性を高めて衛生的に保つことが可能となる。
【００６１】
また、図１２に示されるように、水平面ｈ上に簡易吹奏楽器１０を横置きとした場合、口当て部１２の端部当接領域４２側と本体部１１の開口２０側とが水平面ｈに接するようになる。この状態において、簡易吹奏楽器１０を転がすような意図しない外力が付与されても、開口２０を形成する端部領域２０Ａが前述のように略楕円状をなすので、前記転がり方向と反対方向の抗力が生じる他、前記片部材４５の先端が水平面ｈに当接し、前記転がりを規制するようになっている。
【００６２】
従って、このような実施形態によれば、口当て部１２の当接端部領域４２が口及びその周辺に沿って馴染むように当接するので、それらの間から演奏者の吹いた空気が効率良くリード５０，５０に向かって流れることとなる。従って、吹く力が低下した高齢者等であっても、発音量を十分に確保した演奏を容易に行うことができる。
【００６３】
また、図１に示されるように、簡易吹奏楽器１０を水平面Ｈ上に自立させた状態で本体部１１を掴むときに、各片部材４５，４５の下側から指を掛けるようすることができる。しかも、本体部１１の開口２０側の平面形状が楕円状をなすので、手の平とホーン体１７外周面とが馴染み易くなる。これにより、握力が低下している者であっても、簡易吹奏楽器１０を簡単に持ち上げて口に当てることが可能となる。
【００６４】
更に、開口２０側の形状や境界形成体１４の片部材４５により、簡易吹奏楽器１０の転がりを防止する手段を構成したので、床等に落下して不用意な位置に転がり、これを踏んで転倒等することを防止することができる。
【００６５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００６６】
例えば、前記口当て部１２は、単一とは限らずに複数個用意してもよい。これにより、一個の簡易吹奏楽器１０を複数人で使用する場合、演奏者毎に口当て部１２を変えることにより、当該口当て部１２を衛生的に維持することができる。また、口当て部１２は、種々の設計変更が可能であり、例えば、図１３〜図１５に示されるタイプのものに代替したり、前記実施形態のものと選択的に用いてもよい。図１３〜図１５に示される口当て部１２は、周壁部５２を扁平なリング状に形成し、その上端部を当接端部領域５３としたものである。
【００６７】
また、口当て部１２は、種々の材料により構成でき、例えば、ポリエチレン等の焼却処分時に有害ガスの発生を回避可能な材料や洗浄後に再利用可能なプラスチック等の材料、紙等の再生処理やリサイクル可能な材料により構成することができる。このような材料を用いれば、演奏する度に口当て部１２を容易に交換でき、より衛生的に保つことが可能となる。
【００６８】
また、前記簡易吹奏楽器１０を複数個用いることにより簡易吹奏楽器セットを構成し、各簡易吹奏楽器１０の音の高さ音階に従ってそれぞれ設定したり、音程や音調がそれぞれ相違するように設定することが例示できる。このとき、図１６に示されるように、各簡易吹奏楽器１０の同図中右側の片部材４５には、音高、音程又は音調の識別手段としてのマーク５６が設けられる。このマーク５６を視認することにより、各簡易吹奏楽器１０の音高等の違いを容易に認識できるようになっている。これにより、指揮者等がプラカード等を介してマーク５６を演奏者に見せることにより、演奏者が演奏すべき音高の簡易吹奏楽器１０を知得できるようになり、音楽の専門的な知識や譜面を見たりすることなく所望の楽曲を演奏することが可能となる。また、和音の組み合わせ、例えば、「ドミ」、「ドソ」、「ドファ」といった二つの音や、「ドミソ」、「ドファラ」といった三つの音毎に同じマーク５６を付することにより、簡単に和音を演奏することも可能となる。
なお、前記識別手段は、図示構成例に限られるものでなく、図１６に示されるもの以外のマークや文字を付したり、片部材４５以外の本体部１１や口当て部１２にマークを付してもよい。また、各簡易吹奏楽器１０における本体部１１や口当て部１２の色彩や模様を変えたり、それらを任意に組み合わせたりすることにより識別手段を構成してもよい。要する、外観によって音高等の違いを認識できるように識別手段が設けられていれば足りる。
【００６９】
更に、複数個の簡易吹奏楽器１０を用いる場合、図１７に示されるように、整列保持部材５７を介して各簡易吹奏楽器１０を集合保持させてもよい。この整列保持部材５７は、各簡易吹奏楽器１０のホーン体１７が挿入される複数の穴５８を備えている。各穴５８の内周面は、ホーン体１７の外周に沿うテーパ面により形成されている。各穴５８に簡易吹奏楽器１０を取り付ける場合、先ず、ホーン体１７だけを穴５８の図１７中下側から挿通し、その後、ホーン体１７の開放部１９側に支持体１８を挿入保持させればよい。これにより、各簡易吹奏楽器１０を集合保持され、この状態で、各簡易吹奏楽器１０を交互に演奏できるようになる。
【００７０】
また、前記発音部１５は、種々の設計変更が可能であり、例えば、各リード５０，５０の上端側（口当て部１２側）を保持板４８に片持ち支持させてもよい。これにより、口当て部１２を介して吸うことにより音を発するようになる。また、一方のリード５０の上端側を片持ち支持させ、他方のリード５０の下端側を片持ち支持させることにより、吹く及び吸うことにより発音させてもよい。更に、リード５０を一本だけとして、吹く又は吸うことにより音を発するようにしてもよい。但し、前記実施形態のようなリード５０，５０を用いた方が、唸り現象を生じさせることができる点で有利となる。
【００７１】
更に、前記端部領域２０Ａの形状は、例えば、正面視で波状若しくは凸凹状とし、水平面Ｈ（図１及び２参照）側に隙間を形成するようにしてもよい。但し、前記実施形態のような湾曲形状とした方が、手の平で端部領域２０Ａを閉塞し易くなる点で有利となる。
【００７２】
また、前記ホーン体１７において、通路を多数の穴２４により構成したが、メッシュやネット等に通路を形成してもよい。
【００７３】
更に、前記実施形態では、Ｏリング２９，４４を用いて異なる二部材を連結する構成としたが、これに代えて、前記二部材を着脱自在とする嵌合構造若しくは係合構造に代替することが可能である。
【産業上の利用可能性】
【００７４】
本発明は、主として、福祉施設や医療施設等でリハビリテーションや音楽療法に利用される。
【図面の簡単な説明】
【００７５】
【図１】実施形態に係る簡易吹奏楽器の正面図。
【図２】図１の右側面図。
【図３】図１の分解図。
【図４】図２の分解図。
【図５】図２のＡ−Ａ線に沿う断面図。
【図６】図３のＢ−Ｂ線に沿う断面図。
【図７】本体部を構成するホーン体の平面図。
【図８】図７の底面図。
【図９】図３のＣ−Ｃ線に沿う断面図。
【図１０】本体部を構成する支持体の底面図。
【図１１】図１の平面図。
【図１２】前記簡易吹奏楽器を横置きした状態の説明図。
【図１３】変形例に係る簡易吹奏楽器の正面図。
【図１４】変形例に係る簡易吹奏楽器の側面図。
【図１５】（Ａ）は、変形例に係る簡易吹奏楽器の口当て部の正面図、（Ｂ）は、（Ａ）の正面断面図、（Ｃ）は、図１３の平面図。
【図１６】簡易吹奏楽器セットの平面図。
【図１７】簡易吹奏楽器セットの変形例を示す正面図。
【図１８】従来例に係る簡易吹奏楽器の正面図。
【符号の説明】
【００７６】
１０・・・簡易吹奏楽器、１１・・・本体部、１２・・・口当て部、１４・・・境界形成体、１５・・・発音部、１９・・・上端部、２０・・・開口、２０Ａ・・・端部領域、２４・・・穴（通路）、４２，５３・・・当接端部領域、５６・・・マーク（識別手段）、５７・・・整列保持部材、Ｓ・・・隙間、Ｈ・・・水平面
【図１】
2006171476.tif 000003
【図２】
2006171476.tif 000004
【図３】
2006171476.tif 000005
【図４】
2006171476.tif 000006
【図５】
2006171476.tif 000007
【図６】
2006171476.tif 000008
【図７】
2006171476.tif 000009
【図８】
2006171476.tif 000010
【図９】
2006171476.tif 000011
【図１０】
2006171476.tif 000012
【図１１】
2006171476.tif 000013
【図１２】
2006171476.tif 000014
【図１３】
2006171476.tif 000015
【図１４】
2006171476.tif 000016
【図１５】
2006171476.tif 000017
【図１６】
2006171476.tif 000018
【図１７】
2006171476.tif 000019
【図１８】
2006171476.tif 000020